(57)【特許請求の範囲】
【請求項１】
第１ストリップラインと第２ストリップラインを直列に接続して構成された不平衡線路と、
前記不平衡線路の第１ストリップラインに電気的に接続された不平衡端子と、
前記第１ストリップラインに電磁結合した第３ストリップラインと前記第２ストリップラインに電磁結合した第４ストリップラインとで構成された第１平衡線路と、
２つの端子を有し、そのうちの一方および他方が前記第１平衡線路の第３ストリップラインと第４ストリップラインにそれぞれ電気的に接続された第１平衡端子と、
前記第１ストリップラインに電磁結合した第５ストリップラインと前記第２ストリップラインに電磁結合した第６ストリップラインとで構成された第２平衡線路と、
２つの端子を有し、そのうちの一方および他方が前記第２平衡線路の第５ストリップラインと第６ストリップラインにそれぞれ電気的に接続された第２平衡端子と、
前記第３ストリップラインに接続された第１平衡端子と前記第５ストリップラインに接続された第２平衡端子との間に電気的に接続された第１抵抗と、
前記第４ストリップラインに接続された第１平衡端子と前記第６ストリップラインに接続された第２平衡端子との間に電気的に接続された第２抵抗と、
を備え、
前記第１、第２、第３、第４、第５および第６ストリップラインとグランド電極とを誘電体層を介して積み重ねて積層体を構成し、
前記第１ストリップラインと前記第２ストリップラインとを第１の誘電体層の一方主面上に隣り合うように配置し、
前記第３ストリップラインと前記第４ストリップラインとを第２の誘電体層の一方主面上に隣り合うように配置し、
前記第５ストリップラインと前記第６ストリップラインとを第３の誘電体層の一方主面上に隣り合うように配置し、
前記第１の誘電体層を前記第２の誘電体層と前記第３の誘電体層とで挟むように配置したこと、
を特徴とする平衡型分配器。
【請求項２】
一端と他端を有した第１ストリップラインと、
一端と他端を有し、前記他端が前記第１ストリップラインの他端に電気的に接続された第２ストリップラインと、
前記第１ストリップラインの一端に電気的に接続された不平衡端子と、
一端と他端を有し、前記一端がグランドに電気的に接続された第３ストリップラインと、
一端と他端を有し、前記一端がグランドに電気的に接続された第４ストリップラインと、
２つの端子を有し、そのうちの一方および他方が前記第３ストリップラインの他端と前記第４ストリップラインの他端にそれぞれ電気的に接続された第１平衡端子と、
一端と他端を有し、前記一端がグランドに電気的に接続された第５ストリップラインと、
一端と他端を有し、前記一端がグランドに電気的に接続された第６ストリップラインと、
２つの端子を有し、そのうちの一方および他方が前記第５ストリップラインの他端と前記第６ストリップラインの他端にそれぞれ電気的に接続された第２平衡端子と、
前記第３ストリップラインの他端と前記第５ストリップラインの他端との間に電気的に接続された第１抵抗と、
前記第４ストリップラインの他端と前記第６ストリップラインの他端との間に電気的に接続された第２抵抗とを備え、
前記第２ストリップラインの一端が開放端であり、
前記第１ストリップラインと前記第３ストリップラインが一端同士および他端同士が対向するように電磁結合するとともに、前記第１ストリップラインと前記第５ストリップラインが一端同士および他端同士が対向するように電磁結合し、かつ、前記第２ストリップラインと前記第４ストリップラインが一端同士および他端同士が対向するように電磁結合するとともに、前記第２ストリップラインと前記第６ストリップラインが一端同士および他端同士が対向するように電磁結合しており、
前記第１、第２、第３、第４、第５および第６ストリップラインとグランド電極とを誘電体層を介して積み重ねて積層体を構成し、
前記第１ストリップラインと前記第２ストリップラインとを第１の誘電体層の一方主面上に隣り合うように配置し、
前記第３ストリップラインと前記第４ストリップラインとを第２の誘電体層の一方主面上に隣り合うように配置し、
前記第５ストリップラインと前記第６ストリップラインとを第３の誘電体層の一方主面上に隣り合うように配置し、
前記第１の誘電体層を前記第２の誘電体層と前記第３の誘電体層とで挟むように配置したこと、
を特徴とする平衡型分配器。
【請求項３】
一端と他端を有した第１ストリップラインと、
一端と他端を有し、前記他端が前記第１ストリップラインの他端に電気的に接続された
第２ストリップラインと、
前記第１ストリップラインの一端に電気的に接続された不平衡端子と、
一端と他端を有し、前記他端がグランドに電気的に接続された第３ストリップラインと、
一端と他端を有し、前記他端がグランドに電気的に接続された第４ストリップラインと、
２つの端子を有し、そのうちの一方および他方が前記第３ストリップラインの一端と前記第４ストリップラインの一端にそれぞれ電気的に接続された第１平衡端子と、
一端と他端を有し、前記他端がグランドに電気的に接続された第５ストリップラインと、
一端と他端を有し、前記他端がグランドに電気的に接続された第６ストリップラインと、
２つの端子を有し、そのうちの一方および他方が前記第５ストリップラインの一端と前記第６ストリップラインの一端にそれぞれ電気的に接続された第２平衡端子と、
前記第３ストリップラインの一端と前記第５ストリップラインの一端との間に電気的に接続された第１抵抗と、
前記第４ストリップラインの一端と前記第６ストリップラインの一端との間に電気的に接続された第２抵抗とを備え、
前記第２ストリップラインの一端がグランドに電気的に接続され、
前記第１ストリップラインと前記第３ストリップラインが一端同士および他端同士が対向するように電磁結合するとともに、前記第１ストリップラインと前記第５ストリップラインが一端同士および他端同士が対向するように電磁結合し、かつ、前記第２ストリップラインと前記第４ストリップラインが一端同士および他端同士が対向するように電磁結合するとともに、前記第２ストリップラインと前記第６ストリップラインが一端同士および他端同士が対向するように電磁結合しており、
前記第１、第２、第３、第４、第５および第６ストリップラインとグランド電極とを誘電体層を介して積み重ねて積層体を構成し、
前記第１ストリップラインと前記第２ストリップラインとを第１の誘電体層の一方主面上に隣り合うように配置し、
前記第３ストリップラインと前記第４ストリップラインとを第２の誘電体層の一方主面上に隣り合うように配置し、
前記第５ストリップラインと前記第６ストリップラインとを第３の誘電体層の一方主面上に隣り合うように配置し、
前記第１の誘電体層を前記第２の誘電体層と前記第３の誘電体層とで挟むように配置したこと、
を特徴とする平衡型分配器。
【請求項４】
前記第１、第２、第３、第４、第５および第６ストリップラインが１／４波長ストリップラインであることを特徴とする請求項１ないし請求項３のいずれかに記載の平衡型分配器。
【請求項５】
第１、第２、第３、第４、第５および第６ストリップラインとグランド電極とを誘電体層を介して積み重ねて積層体を構成し、前記積層体の表面に不平衡端子と、それぞれ２つの端子からなる第１平衡端子および第２平衡端子とグランド端子を設け、
前記第１ストリップラインと第２ストリップラインを直列に接続して構成された不平衡線路の第１ストリップラインに、前記不平衡端子を電気的に接続し、
前記第１ストリップラインに電磁結合した第３ストリップラインと前記第２ストリップラインに電磁結合した第４ストリップラインとで構成された第１平衡線路の第３ストリップラインと第４ストリップラインに、前記第１平衡端子の一方および他方をそれぞれ電気的に接続し、
前記第１ストリップラインに電磁結合した第５ストリップラインと前記第２ストリップラインに電磁結合した第６ストリップラインとで構成された第２平衡線路の第５ストリップラインと第６ストリップラインに、前記第２平衡端子の一方および他方をそれぞれ電気的に接続し、
前記第３ストリップラインに接続された第１平衡端子と前記第５ストリップラインに接続された第２平衡端子との間に第１抵抗を電気的に接続し、
前記第４ストリップラインに接続された第１平衡端子と前記第６ストリップラインに接続された第２平衡端子との間に第２抵抗を電気的に接続し、
前記第１ストリップラインと前記第２ストリップラインとを第１の誘電体層の一方主面上に隣り合うように配置し、
前記第３ストリップラインと前記第４ストリップラインとを第２の誘電体層の一方主面上に隣り合うように配置し、
前記第５ストリップラインと前記第６ストリップラインとを第３の誘電体層の一方主面上に隣り合うように配置し、
前記第１の誘電体層を前記第２の誘電体層と前記第３の誘電体層とで挟むように配置したこと、
を特徴とする平衡型分配器。
【請求項６】
前記積層体の表面に、前記第１抵抗および前記第２抵抗のいずれか一方の抵抗を電気的に接続するための外部端子を設けたことを特徴とする請求項１ないし請求項５のいずれかに記載の平衡型分配器。
【請求項７】
前記第１抵抗および前記第２抵抗が前記積層体の表面に配置されていることを特徴とする請求項１ないし請求項６のいずれかに記載の平衡型分配器。
【発明の詳細な説明】
【技術分野】
【０００１】
本発明は、平衡型分配器、特に、移動体通信機器などに用いられる平衡型分配器に関する。
【背景技術】
【０００２】
通信機器においては、信号周波数の高周波化に伴い、耐雑音性の向上などを目的として平衡信号（バランス信号）を用いるものが増えている。そのため、不平衡信号（アンバランス信号）から平衡信号への変換を行う不平衡平衡変換器が必要となっている。また、様々な用途に応じて信号を二つに分配する分配器も必要となっている。そこで、両者の機能を備えた一つの部品、すなわち、一つの不平衡信号を二つの平衡信号に分配する「不平衡入力平衡出力分配器（平衡型分配器）」が必要とされるようになってきている。
【０００３】
図１３に示すように、不平衡入力平衡出力分配器（平衡型分配器）１は、不平衡端子５から入力した不平衡信号を二つに分配する１個の不平衡入力不平衡出力分配器（一般に周知の分配器）２と、分配された二つの不平衡信号をそれぞれ平衡信号に変換する２個の不平衡平衡変換器（いわゆるバラン）３，４を組み合わせることによって得られる。不平衡平衡変換器３，４から出た平衡信号は、それぞれ第１平衡端子６ａ，６ｂおよび第２平衡端子７ａ，７ｂから出力される。
【０００４】
あるいは、不平衡入力平衡出力分配器（平衡型分配器）は、不平衡信号を平衡信号に変換する１個の不平衡平衡変換器（いわゆるバラン）と、そこから出力された一つの平衡信号を二つに分配する１個の平衡入力平衡出力分配器を組み合わせることによって得られる。
【０００５】
不平衡平衡変換器としては、特許文献１及び特許文献２に記載されたものが知られている。特許文献１及び特許文献２に基づいて、図１３のブロック回路図の不平衡入力平衡出力分配器（平衡型分配器）１をより具体的に示した電気回路図が図１４である。平衡型分配器１は、１０個の１／４波長ストリップライン１１〜２０と１個の抵抗Ｒとで構成されている。
【０００６】
しかしながら、平衡型分配器１を、個別部品である分配器２とバラン３，４を組み合わせることによって構成した場合、部品点数が増加するという問題がある。また、単に各個別部品２〜４を一体化して一つの部品にしただけでは、図１４に示すように、部品内部の回路構成が複雑になり、製造コストが高価になったり、挿入損失が大きくなったりするという問題があった。
【特許文献１】特開２００１−９４３１６号公報
【特許文献２】特開２００１−１６８６０７号公報
【発明の開示】
【発明が解決しようとする課題】
【０００７】
そこで、本発明の目的は、回路構成が簡素で、かつ、小型化を図ることができる平衡型分配器を提供することにある。
【課題を解決するための手段】
【０００８】
前記目的を達成するため、本発明に係る平衡型分配器は、第１ストリップラインと第２ストリップラインを直列に接続して構成された不平衡線路と、不平衡線路の第１ストリップラインに電気的に接続された不平衡端子と、第１ストリップラインに電磁結合した第３ストリップラインと第２ストリップラインに電磁結合した第４ストリップラインとで構成された第１平衡線路と、２つの端子を有し、そのうちの一方および他方が第１平衡線路の第３ストリップラインと第４ストリップラインにそれぞれ電気的に接続された第１平衡端子と、第１ストリップラインに電磁結合した第５ストリップラインと第２ストリップラインに電磁結合した第６ストリップラインとで構成された第２平衡線路と、２つの端子を有し、そのうちの一方および他方が第２平衡線路の第５ストリップラインと第６ストリップラインにそれぞれ電気的に接続された第２平衡端子と、第３ストリップラインに接続された第１平衡端子と第５ストリップラインに接続された第２平衡端子との間に電気的に接続された第１抵抗と、第４ストリップラインに接続された第１平衡端子と第６ストリップラインに接続された第２平衡端子との間に電気的に接続された第２抵抗とを備え、第１、第２、第３、第４、第５および第６ストリップラインとグランド電極とを誘電体層を介して積み重ねて積層体を構成し、第１ストリップラインと第２ストリップラインとを第１の誘電体層の一方主面上に隣り合うように配置し、第３ストリップラインと第４ストリップラインとを第２の誘電体層の一方主面上に隣り合うように配置し、第５ストリップラインと第６ストリップラインとを第３の誘電体層の一方主面上に隣り合うように配置し、第１の誘電体層を第２の誘電体層と第３の誘電体層とで挟むように配置したこと、を特徴とする。
【０００９】
より具体的には、一端と他端を有した第１ストリップラインと、一端と他端を有し、他端が第１ストリップラインの他端に電気的に接続された第２ストリップラインと、第１ストリップラインの一端に電気的に接続された不平衡端子と、一端と他端を有し、一端がグランドに電気的に接続された第３ストリップラインと、一端と他端を有し、一端がグランドに電気的に接続された第４ストリップラインと、２つの端子を有し、そのうちの一方および他方が第３ストリップラインの他端と第４ストリップラインの他端にそれぞれ電気的に接続された第１平衡端子と、一端と他端を有し、一端がグランドに電気的に接続された第５ストリップラインと、一端と他端を有し、一端がグランドに電気的に接続された第６ストリップラインと、２つの端子を有し、そのうちの一方および他方が第５ストリップラインの他端と第６ストリップラインの他端にそれぞれ電気的に接続された第２平衡端子と、第３ストリップラインの他端と第５ストリップラインの他端との間に電気的に接続された第１抵抗と、第４ストリップラインの他端と第６ストリップラインの他端との間に電気的に接続された第２抵抗とを備え、第２ストリップラインの一端が開放端であり、第１ストリップラインと第３ストリップラインが一端同士および他端同士が対向するように電磁結合するとともに、第１ストリップラインと第５ストリップラインが一端同士および他端同士が対向するように電磁結合し、かつ、第２ストリップラインと第４ストリップラインが一端同士および他端同士が対向するように電磁結合するとともに、第２ストリップラインと第６ストリップラインが一端同士および他端同士が対向するように電磁結合していることを特徴とする。
【００１０】
あるいは、一端と他端を有した第１ストリップラインと、一端と他端を有し、他端が前記第１ストリップラインの他端に電気的に接続された第２ストリップラインと、第１ストリップラインの一端に電気的に接続された不平衡端子と、一端と他端を有し、他端がグランドに電気的に接続された第３ストリップラインと、一端と他端を有し、他端がグランドに電気的に接続された第４ストリップラインと、２つの端子を有し、そのうちの一方および他方が第３ストリップラインの一端と第４ストリップラインの一端にそれぞれ電気的に接続された第１平衡端子と、一端と他端を有し、他端がグランドに電気的に接続された第５ストリップラインと、一端と他端を有し、他端がグランドに電気的に接続された第６ストリップラインと、２つの端子を有し、そのうちの一方および他方が第５ストリップラインの一端と第６ストリップラインの一端にそれぞれ電気的に接続された第２平衡端子と、第３ストリップラインの一端と第５ストリップラインの一端との間に電気的に接続された第１抵抗と、第４ストリップラインの一端と第６ストリップラインの一端との間に電気的に接続された第２抵抗とを備え、第２ストリップラインの一端がグランドに電気的に接続され、第１ストリップラインと第３ストリップラインが一端同士および他端同士が対向するように電磁結合するとともに、第１ストリップラインと第５ストリップラインが一端同士および他端同士が対向するように電磁結合し、かつ、第２ストリップラインと第４ストリップラインが一端同士および他端同士が対向するように電磁結合するとともに、第２ストリップラインと第６ストリップラインが一端同士および他端同士が対向するように電磁結合していることを特徴とする。
【００１１】
ここに、第１、第２、第３、第４、第５および第６ストリップラインは１／４波長ストリップラインである。
【００１２】
以上の構成により、不平衡端子から入った不平衡信号は、第１ストリップライン、第２ストリップラインと伝搬する。そして、第１ストリップラインにおいては第３ストリップラインおよび第５ストリップラインと電磁結合し、第２ストリップラインにおいては第４ストリップラインおよび第６ストリップラインと電磁結合することによって、一つの不平衡信号は二つの平衡信号に変換され、これら平衡信号は第１平衡端子および第２平衡端子から取り出される。
【００１３】
また、本発明に係る平衡型分配器は、第１、第２、第３、第４、第５および第６ストリップラインとグランド電極とを誘電体層を介して積み重ねて積層体を構成し、前記積層体の表面に不平衡端子と、それぞれ２つの端子からなる第１平衡端子および第２平衡端子とグランド端子を設け、第１ストリップラインと第２ストリップラインを直列に接続して構成された不平衡線路の第１ストリップラインに、不平衡端子を電気的に接続し、第１ストリップラインに電磁結合した第３ストリップラインと第２ストリップラインに電磁結合した第４ストリップラインとで構成された第１平衡線路の第３ストリップラインと第４ストリップラインに、第１平衡端子の一方および他方をそれぞれ電気的に接続し、第１ストリップラインに電磁結合した第５ストリップラインと第２ストリップラインに電磁結合した第６ストリップラインとで構成された第２平衡線路の第５ストリップラインと第６ストリップラインに、第２平衡端子の一方および他方をそれぞれ電気的に接続し、第３ストリップラインに接続された第１平衡端子と第５ストリップラインに接続された第２平衡端子との間に第１抵抗を電気的に接続し、第４ストリップラインに接続された第１平衡端子と第６ストリップラインに接続された第２平衡端子との間に第２抵抗を電気的に接続し、第１ストリップラインと第２ストリップラインとを第１の誘電体層の一方主面上に隣り合うように配置し、第３ストリップラインと第４ストリップラインとを第２の誘電体層の一方主面上に隣り合うように配置し、第５ストリップラインと第６ストリップラインとを第３の誘電体層の一方主面上に隣り合うように配置し、第１の誘電体層を第２の誘電体層と第３の誘電体層とで挟むように配置している。以上の構成により、積層タイプの平衡型分配器が容易に得られる。
【００１４】
また、積層体の表面に、第１抵抗および第２抵抗のいずれか一方の抵抗を電気的に接続するための外部端子を設け、第１抵抗および第２抵抗を積層体の表面に配置してもよい。
【発明の効果】
【００１５】
本発明によれば、部品内部の回路構成が簡素になり、製造コストが安価で、挿入損失が小さい小型の平衡型分配器が得られる。
【発明を実施するための最良の形態】
【００１６】
以下、本発明に係る平衡型分配器の実施例について添付の図面を参照して説明する。
【００１７】
（第１実施例、図１参照）
図１に示すように、平衡型分配器２１は１／４波長ストリップライン３１，３２、３３，３４、３５，３６を有している。ストリップライン３１，３２，３３，３４，３５，３６はそれぞれ、一端３１ａ，３２ａ，３３ａ，３４ａ，３５ａ，３６ａと他端３１ｂ，３２ｂ，３３ｂ，３４ｂ，３５ｂ，３６ｂを有している。ストリップライン３１の一端３１ａは不平衡端子２２に電気的に接続され、他端３１ｂはストリップライン３２の他端３２ｂに電気的に接続されている。ストリップライン３２の一端３２ａは開放端である。ストリップライン３３の一端３３ａは接地され、他端３３ｂは第１平衡端子２３ａに電気的に接続されている。ストリップライン３４の一端３４ａは接地され、他端３４ｂは第１平衡端子２３ｂに電気的に接続されている。ストリップライン３５の一端３５ａは接地され、他端３５ｂは第２平衡端子２４ａに電気的に接続されている。ストリップライン３６の一端３６ａは接地され、他端３６ｂは第２平衡端子２４ｂに電気的に接続されている。
【００１８】
そして、ストリップライン３１，３３の一端同士他端同士が対向するように配置して電磁結合させ、結合器を構成している。さらに、ストリップライン３２，３４の一端同士他端同士が対向するように配置して電磁結合させ、結合器を構成している。
【００１９】
同様に、ストリップライン３１，３５の一端同士他端同士が対向するように配置して電磁結合させ、結合器を構成している。さらに、ストリップライン３２，３６の一端同士他端同士が対向するように配置して電磁結合させ、結合器を構成している。
【００２０】
ストリップライン３１と３２は直列に接続して不平衡線路を構成し、ストリップライン３３と３４は第１平衡線路を構成し、ストリップライン３５と３６は第２平衡線路を構成している。
【００２１】
さらに、第１平衡端子２３ａと第２平衡端子２４ａとの間および第１平衡端子２３ｂと第２平衡端子２４ｂとの間に、それぞれ抵抗Ｒ１，Ｒ２が電気的に接続している。抵抗Ｒ１，Ｒ２の抵抗値はそれぞれ、第１平衡端子２３ａ，２３ｂの平衡線路間特性インピーダンス値と第２平衡端子２４ａ，２４ｂの平衡線路間特性インピーダンス値との合計値の１／２の抵抗値で設計されている。
【００２２】
この平衡型分配器２１は一つの不平衡信号を二つの平衡信号に分配する「不平衡入力平衡出力分配器」である。すなわち、不平衡端子２２から入った不平衡信号は、ストリップライン３１、ストリップライン３２と伝搬する。そして、ストリップライン３１においてはストリップライン３３，３５と電磁結合し、ストリップライン３２においてはストリップライン３４，３６と電磁結合することによって、一つの不平衡信号は二つの平衡信号に変換され、これら平衡信号は第１平衡端子２３ａ，２３ｂおよび第２平衡端子２４ａ，２４ｂから取り出される。
【００２３】
以上の構成からなる平衡型分配器２１は、図１３に示した従来の平衡型分配器１が分配器２の挿入損失とバラン３，４の挿入損失により全体の挿入損失が大きくなるのに対して、挿入損失を低減することができる。さらに、平衡型分配器２１は、６個の１／４波長ストリップライン３１〜３６と２個の抵抗Ｒ１，Ｒ２で構成されており、図１４に示した従来の平衡型分配器１と比較して少ない構成素子で構成できるので、小型化が可能である。
【００２４】
（第２実施例、図２参照）
図２に示すように、平衡型分配器４１は１／４波長ストリップライン３１，３２、３３，３４、３５，３６を有している。ストリップライン３１，３２，３３，３４，３５，３６はそれぞれ、一端３１ａ，３２ａ，３３ａ，３４ａ，３５ａ，３６ａと他端３１ｂ，３２ｂ，３３ｂ，３４ｂ，３５ｂ，３６ｂを有している。ストリップライン３１の一端３１ａは不平衡端子２２に電気的に接続され、他端３１ｂはストリップライン３２の他端３２ｂに電気的に接続されている。ストリップライン３２の一端３２ａは接地されている。ストリップライン３３の他端３３ｂは接地され、一端３３ａは第１平衡端子２３ａに電気的に接続されている。ストリップライン３４の他端３４ｂは接地され、一端３４ａは第１平衡端子２３ｂに電気的に接続されている。ストリップライン３５の他端３５ｂは接地され、一端３５ａは第２平衡端子２４ａに電気的に接続されている。ストリップライン３６の他端３６ｂは接地され、一端３６ａは第２平衡端子２４ｂに電気的に接続されている。
【００２５】
そして、ストリップライン３１，３３の一端同士他端同士が対向するように配置して電磁結合させ、結合器を構成している。さらに、ストリップライン３２，３４の一端同士他端同士が対向するように配置して電磁結合させ、結合器を構成している。
【００２６】
同様に、ストリップライン３１，３５の一端同士他端同士が対向するように配置して電磁結合させ、結合器を構成している。さらに、ストリップライン３２，３６の一端同士他端同士が対向するように配置して電磁結合させ、結合器を構成している。
【００２７】
ストリップライン３１と３２は直列に接続して不平衡線路を構成し、ストリップライン３３と３４は第１平衡線路を構成し、ストリップライン３５と３６は第２平衡線路を構成している。
【００２８】
さらに、第１平衡端子２３ａと第２平衡端子２４ａとの間および第１平衡端子２３ｂと第２平衡端子２４ｂとの間に、それぞれ抵抗Ｒ１，Ｒ２が電気的に接続している。抵抗Ｒ１，Ｒ２の抵抗値はそれぞれ、第１平衡端子２３ａ，２３ｂの平衡線路間特性インピーダンス値と第２平衡端子２４ａ，２４ｂの平衡線路間特性インピーダンス値との合計値の１／２の抵抗値で設計されている。
【００２９】
この平衡型分配器４１は一つの不平衡信号を二つの平衡信号に分配する「不平衡入力平衡出力分配器」であり、前記第１実施例の平衡型分配器２１と同様の作用効果を奏する。
【００３０】
（第３実施例、図３及び図４参照）
図３は、図１に示した平衡型分配器２１を内蔵した積層型の平衡型分配器２１Ａの分解斜視図である。平衡型分配器２１Ａは、グランド電極５１，５２，５３を表面に形成した誘電体シート６５と、１／４波長ストリップライン３１，３２，３３，３４，３５，３６や層間接続用ビアホール６０を形成した誘電体シート６５と、引出し電極５４，５５，５６，５７，５８，５９や層間接続用ビアホール６０を形成した誘電体シート６５と、予め電極を形成していない外層用誘電体シート６５などにて構成されている。
【００３１】
誘電体シート６５の材料としては、誘電体セラミック粉末を結合剤などとともに混練したものをシート状にしたものが使用される。ストリップライン３１〜３６や引出し電極５４〜５９などは、スパッタリング法、蒸着法、印刷法などの方法により形成され、Ａｇ，Ａｇ−Ｐｄ，Ｃｕなどの材料からなる。層間接続用ビアホール６０は、誘電体シート６５にレーザービームなどを用いて貫通孔を形成し、この貫通孔にＡｇ，Ａｇ−Ｐｄ，Ｃｕなどの導電ペーストを印刷塗布などの方法により充填することによって形成される。
【００３２】
誘電体シート６５の積み重ね方向において、グランド電極５１，５２，５３をそれぞれ設けた誘電体シート６５は、上層部、中層部および下層部に配置される。グランド電極５１と５２の間には、スパイラル状のストリップライン３１を設けた誘電体シートを挟んで同じくスパイラル状のストリップライン３３，３５を設けた誘電体シートが配置されている。なお、本第３実施例ではストリップライン３３，３１，３５を設けた誘電体シートを上層から順に配置しているが、ストリップライン３５，３１，３３を設けた誘電体シートを上層から順に配置したものでもよい。
【００３３】
同様に、グランド電極５２と５３の間には、スパイラル状のストリップライン３２を設けた誘電体シートを挟んで同じくスパイラル状のストリップライン３４，３６を設けた誘電体シートが配置されている。なお、本第３実施例ではストリップライン３４，３２，３６を設けた誘電体シートを上層から順に配置しているが、ストリップライン３６，３２，３４を設けた誘電体シートを上層から順に配置したものでもよい。また、グランド電極５２を設けた誘電体シートの上側にストリップライン３４，３２，３６を設けた誘電体シートを配置し、グランド電極５２を設けた誘電体シートの下側にストリップライン３３，３１，３５を設けた誘電体シートを配置したものであってもよい。
【００３４】
グランド電極５１〜５３は誘電体シート６５の表面に広面積に形成され、その一部はシート６５の奥側の辺の中央に露出している。ストリップライン３３は誘電体シート６５の中央に配置され、その一端３３ａは誘電体シート６５の奥側の辺の中央に露出している。ストリップライン３３の他端３３ｂは、層間接続用ビアホール６０および１つ上の層に形成された引出し電極５４を介して誘電体シート６５の右辺に引き出されている。
【００３５】
ストリップライン３１は誘電体シート６５の中央に配置され、その一端３１ａは誘電体シート６５の奥側の辺の右側に露出している。ストリップライン３１の他端３１ｂは、層間接続用ビアホール６０および１つ上の層に形成された引出し電極５５を介して誘電体シート６５の手前側の辺の中央に引き出されている。ストリップライン３５は誘電体シート６５の中央に配置され、その一端３５ａは誘電体シート６５の奥側の辺の中央に露出している。ストリップライン３５の他端３５ｂは、層間接続用ビアホール６０および１つ下の層に形成された引出し電極５６を介して誘電体シート６５の左辺に引き出されている。
【００３６】
そして、ストリップライン３１，３３の一端同士３１ａ，３３ａおよび他端同士３１ｂ，３３ｂを対向させて、ストリップライン３１と３３を誘電体シート６５を挟んで電磁結合させ、結合器を構成している。同様に、ストリップライン３１，３５の一端同士３１ａ，３５ａおよび他端同士３１ｂ，３５ｂを対向させて、ストリップライン３１と３５を誘電体シート６５を挟んで電磁結合させ、結合器を構成している。
【００３７】
また、ストリップライン３４は誘電体シート６５の中央に配置され、その一端３４ａは誘電体シート６５の奥側の辺の中央に露出している。ストリップライン３４の他端３４ｂは、層間接続用ビアホール６０および１つ上の層に形成された引出し電極５７を介して誘電体シート６５の手前側の辺の右側に引き出されている。ストリップライン３２は誘電体シート６５の中央に配置され、その一端３２ａは開放端とされている。ストリップライン３２の他端３２ｂは、層間接続用ビアホール６０および１つ上の層に形成された引出し電極５８を介して誘電体シート６５の手前側の辺の中央に引き出されている。ストリップライン３６は誘電体シート６５の中央に配置され、その一端３６ａは誘電体シート６５の奥側の辺の中央に露出している。ストリップライン３６の他端３６ｂは、層間接続用ビアホール６０および１つ下の層に形成された引出し電極５９を介して誘電体シート６５の手前側の辺の左側に引き出されている。
【００３８】
そして、ストリップライン３２，３４の一端同士３２ａ，３４ａおよび他端同士３２ｂ，３４ｂを対向させて、ストリップライン３２と３４を誘電体シート６５を挟んで電磁結合させ、結合器を構成している。同様に、ストリップライン３２，３６の一端同士３２ａ，３６ａおよび他端同士３２ｂ，３６ｂを対向させて、ストリップライン３２と３６を誘電体シート６５を挟んで電磁結合させ、結合器を構成している。
【００３９】
各誘電体シート６５は積み重ねられて一体的に焼成され、図４に示すような積層体７１とされる。積層体７１の手前側の側面には右側に第１平衡端子２３ｂ、左側に第２平衡端子２４ｂ、中央に中継端子２５が形成され、奥側の側面には右側に不平衡端子２２、中央にグランド端子Ｇが形成されている。積層体７１の右側面には第１平衡端子２３ａが形成され、左側面には第２平衡端子２４ａが形成されている。各端子は、いずれも側面から上下面に延在するように形成されている。
【００４０】
第１平衡端子２３ａ，２３ｂはそれぞれ引出し電極５４，５７に電気的に接続している。不平衡端子２２はストリップライン３１の一端３１ａに電気的に接続し、中継端子２５は引出し電極５５，５８に電気的に接続している。第２平衡端子２４ａ，２４ｂそれぞれ引出し電極５６，５９に電気的に接続している。グランド端子Ｇは、グランド電極５１〜５３の一部およびストリップライン３３，３５，３４，３６の一端３３ａ，３５ａ，３４ａ，３６ａに電気的に接続している。
【００４１】
さらに、積層体７１の上面には抵抗Ｒ１，Ｒ２が、カーボンペーストを印刷するなどして形成されている。抵抗Ｒ１は第１平衡端子２３ａと第２平衡端子２４ａとの間を電気的に接続し、抵抗Ｒ２は第１平衡端子２３ｂと第２平衡端子２４ｂとの間を電気的に接続している。なお、抵抗Ｒ１，Ｒ２を積層体７１の底面に形成したものであってもよい。また、抵抗Ｒ１，Ｒ２は印刷抵抗の代わりに積層体の表面に配置されたチップ抵抗であってもよい。さらに、抵抗Ｒ１，Ｒ２は、平衡型分配器２１Ａを搭載するプリント基板に外付けされ、各端子と配線を介して接続されたものであってもよい。
【００４２】
以上の構成からなる積層型の平衡型分配器２１Ａは、誘電体シート６５の厚みを変えるなどして容易にストリップライン３１−３３間、３１−３５間、３２−３４間および３２−３６間の電磁結合値を調整することができる。また、ストリップライン３１〜３６などを同様の製造方法でかつ同時期に形成するので、製造上の電磁結合特性のばらつきを抑えることができる。
【００４３】
また、グランド電極５２の上側にストリップライン３３，３１，３５を配置し、グランド電極５２の下側にストリップライン３４，３２，３６を配置しているので、ストリップライン３３，３１，３５とストリップライン３４，３２，３６とがグランド電極５２によってシールドされている。従って、ストリップライン３３，３１，３５とストリップライン３４，３２，３６との間の電磁結合がないため、広帯域かつ低損失の特性が得られる。
【００４４】
（第４実施例、図５及び図６参照）
図５は、図１に示した平衡型分配器２１を内蔵した積層型の平衡型分配器２１Ｂの分解斜視図である。平衡型分配器２１Ｂは、グランド電極５１，５３を表面に形成した誘電体シート６５と、１／４波長ストリップライン３１，３２，３３，３４，３５，３６や層間接続用ビアホール６０を形成した誘電体シート６５と、引出し電極５４，５６，５７，５９や層間接続用ビアホール６０を形成した誘電体シート６５と、中継電極７５や層間接続用ビアホール６０を形成した誘電体シート６５と、予め電極を形成していない外層用誘電体シート６５などにて構成されている。
【００４５】
誘電体シート６５の積み重ね方向において、グランド電極５１，５３をそれぞれ設けた誘電体シート６５は、上層部および下層部に配置される。グランド電極５１と５３の間には、スパイラル状のストリップライン３１，３２を設けた誘電体シートを挟んで同じくスパイラル状のストリップライン３３，３４と同じくスパイラル状のストリップライン３５，３６を設けた誘電体シートが配置されている。なお、本第４実施例ではストリップライン３３と３４、３１と３２、３５と３６を設けた誘電体シートを上層から順に配置しているが、ストリップライン３５と３６、３１と３２、３３と３４を設けた誘電体シートを上層から順に配置したものでもよい。
【００４６】
ストリップライン３３と３４はそれぞれ同一の誘電体シート６５の右半分と左半分に配置されている。ストリップライン３３，３４のそれぞれの一端３３ａ，３４ａは、互いに接続して誘電体シート６５の奥側の辺の中央に露出している。ストリップライン３３の他端３３ｂは、層間接続用ビアホール６０および１つ上の層に形成された引出し電極５４を介して誘電体シート６５の右辺に引き出されている。ストリップライン３４の他端３４ｂは、層間接続用ビアホール６０および１つ上の層に形成された引出し電極５７を介して誘電体シート６５の手前側の辺の右側に引き出されている。
【００４７】
ストリップライン３１と３２はそれぞれ同一の誘電体シート６５の右半分と左半分に配置されている。ストリップライン３１の一端３１ａは誘電体シート６５の奥側の辺の右側に露出している。ストリップライン３１の他端３１ｂは、層間接続用ビアホール６０および１つ上の層に形成された中継電極７５を介してストリップライン３２の他端３２ｂに電気的に接続されている。ストリップライン３２の一端３２ａは開放端とされている。
【００４８】
そして、ストリップライン３１，３３の一端同士３１ａ，３３ａおよび他端同士３１ｂ，３３ｂを対向させて、ストリップライン３１と３３を誘電体シート６５を挟んで電磁結合させ、結合器を構成している。同様に、ストリップライン３２，３４の一端同士３２ａ，３４ａおよび他端同士３２ｂ，３４ｂを対向させて、ストリップライン３２と３４を誘電体シート６５を挟んで電磁結合させ、結合器を構成している。
【００４９】
ストリップライン３５と３６はそれぞれ同一の誘電体シート６５の右半分と左半分に配置されている。ストリップライン３５，３６のそれぞれの一端３５ａ，３６ａは、互いに接続して誘電体シート６５の奥側の辺の中央に露出している。ストリップライン３５の他端３５ｂは、層間接続用ビアホール６０および１つ下の層に形成された引出し電極５６を介して誘電体シート６５の左辺に引き出されている。ストリップライン３６の他端３６ｂは、層間接続用ビアホール６０および１つ下の層に形成された引出し電極５９を介して誘電体シート６５の手前側の辺の左側に引き出されている。
【００５０】
そして、ストリップライン３１，３５の一端同士３１ａ，３５ａおよび他端同士３１ｂ，３５ｂを対向させて、ストリップライン３１と３５を誘電体シート６５を挟んで電磁結合させ、結合器を構成している。同様に、ストリップライン３２，３６の一端同士３２ａ，３６ａおよび他端同士３２ｂ，３６ｂを対向させて、ストリップライン３２と３６を誘電体シート６５を挟んで電磁結合させ、結合器を構成している。
【００５１】
各誘電体シート６５は積み重ねられて一体的に焼成され、図６に示すような積層体７１とされる。積層体７１の手前側の側面には右側に第１平衡端子２３ｂ、左側に第２平衡端子２４ｂが形成され、奥側の側面には右側に不平衡端子２２、中央にグランド端子Ｇが形成されている。積層体７１の右側面には第１平衡端子２３ａが形成され、左側面には第２平衡端子２４ａが形成されている。各端子はいずれも側面から上下面に延在するように形成されている。
【００５２】
第１平衡端子２３ａ，２３ｂはそれぞれ引出し電極５４，５７に電気的に接続している。不平衡端子２２はストリップライン３１の一端３１ａに電気的に接続している。第２平衡端子２４ａ，２４ｂそれぞれ引出し電極５６，５９に電気的に接続している。グランド端子Ｇは、グランド電極５１，５３の一部およびストリップライン３３，３４，３５，３６の一端３３ａ，３４ａ，３５ａ，３６ａに電気的に接続している。
【００５３】
さらに、積層体７１の上面には抵抗Ｒ１，Ｒ２が、カーボンペーストを印刷するなどして形成されている。抵抗Ｒ１は第１平衡端子２３ａと第２平衡端子２４ａとの間を電気的に接続し、抵抗Ｒ２は第１平衡端子２３ｂと第２平衡端子２４ｂとの間を電気的に接続している。なお、抵抗Ｒ１，Ｒ２を積層体７１の底面に形成したものであってもよい。また、抵抗Ｒ１，Ｒ２は印刷抵抗の代わりに積層体の表面に配置されたチップ抵抗であってもよい。さらに、抵抗Ｒ１，Ｒ２は、平衡型分配器２１Ａを搭載するプリント基板に外付けされ、各端子と配線を介して接続されたものであってもよい。
【００５４】
以上の構成からなる積層型の平衡型分配器２１Ｂは、誘電体シート６５の厚みを変えるなどして容易にストリップライン３１−３３間、３１−３５間、３２−３４間および３２−３６間の電磁結合値を調整することができる。また、ストリップライン３１〜３６などを同様の製造方法でかつ同時期に形成するので、製造上の電磁結合特性のばらつきを抑えることができる。
【００５５】
また、ストリップライン３１と３２、３３と３４、３５と３６をそれぞれ同一シート６５に配置しているので、ストリップライン３１と３２の間、３３と３４の間および３５と３６の間にそれぞれ電磁結合が発生する。従って、狭帯域かつ低損失の特性が得られる。
【００５６】
（第５実施例、図７〜図１０参照）
前記第３実施例や第４実施例の積層型の平衡型分配器２１Ａ，２１Ｂにおいて、平衡型分配器２１Ａ，２１Ｂを搭載するプリント基板に抵抗Ｒ１，Ｒ２を外付けした状態で使用される場合がある。この場合、ストリップライン３３，３４，３５，３６と抵抗Ｒ１，Ｒ２との間を接続するプリント基板上の配線パターンによって、信号の位相が遅れ、第１平衡端子２３ａ，２３ｂと第２平衡端子２４ａ，２４ｂとの間のアイソレーションが低下することがある。
【００５７】
本第５実施例の積層型の平衡型分配器は、この問題を解消するためのものである。図７および図８に示した積層型の平衡型分配器２１Ｃは、前記第３実施例の平衡型分配器２１Ａを改良したものである。また、図９および図１０に示した積層型の平衡型分配器２１Ｄは、前記第４実施例の平衡型分配器２１Ｂを改良したものである。
【００５８】
これら積層型の平衡型分配器２１Ｃ，２１Ｄは、引出し電極５４を形成した誘電体シート６５に抵抗接続端子引出し電極８０を引出し電極５４に電気的に接続した状態で形成するとともに、積層体７１の奥側の側面の左側に抵抗接続端子引出し電極８０に電気的に接続した抵抗接続端子２６を形成している。
【００５９】
抵抗接続端子２６は抵抗Ｒ１を接続するためのものであり、不平衡端子２２と第２平衡端子２４ａの間に配置されている。そして、抵抗接続端子引出し電極８０は、第１平衡端子２３ａ，２３ｂのうち第２平衡端子２４ａ，２４ｂと隣り合わない方の第１平衡端子２３ａに接続されているストリップライン３３の引出し電極５４と、不平衡端子２２を跨ぐ位置に設けられた抵抗接続端子２６とを電気的に接続している。なお、第１平衡端子２３ａにストリップライン３５の引出し電極５６が接続される場合には、抵抗接続端子引出し電極８０は引出し電極５６と抵抗接続端子２６とを電気的に接続することになる。
【００６０】
以上のように、抵抗接続端子２６や抵抗接続端子引出し電極８０を設けることにより、プリント基板上の配線パターンによる信号位相の遅れを最小限に抑えることができ、第１平衡端子２３ａ，２３ｂと第２平衡端子２４ａ，２４ｂとの間のアイソレーションの低下を抑えることが可能となる。
【００６１】
また、本第５実施例では、抵抗接続端子２６を不平衡端子２２と第２平衡端子２４ａの間に配置しているが、不平衡端子２２と第１平衡端子２３ａの間に抵抗接続端子２６を配置してもよい。この場合、ストリップライン３４の引出し電極５７もしくはストリップライン３６の引出し電極５９のいずれか一方の引出し電極と、抵抗接続端子２６とを抵抗接続端子引出し電極８０を介して電気的に接続することになる。
【００６２】
なお、抵抗接続端子２６を設けないで、前記第３および第４実施例に示すように抵抗Ｒ１，Ｒ２を積層体７１の表面に印刷したり、チップ部品として積層体７１に搭載したりすることによっても、第１平衡端子２３ａ，２３ｂと第２平衡端子２４ａ，２４ｂとの間のアイソレーションの低下を抑えることができる。
【００６３】
（第６実施例、図１１及び図１２参照）
図１１は、図２に示した平衡型分配器４１を内蔵した積層型の平衡型分配器４１Ａの分解斜視図である。平衡型分配器４１Ａは、グランド電極５１，５２，５３を表面に形成した誘電体シート６５と、１／４波長ストリップライン３１，３２，３３，３４，３５，３６や層間接続用ビアホール６０を形成した誘電体シート６５と、引出し電極５４，５５，５６，５７，５８，５９や層間接続用ビアホール６０を形成した誘電体シート６５と、予め電極を形成していない外層用誘電体シート６５などにて構成されている。
【００６４】
グランド電極５１〜５３は誘電体シート６５の表面に広面積に形成され、その一部はシート６５の奥側の辺の中央に露出している。ストリップライン３３は誘電体シート６５の中央に配置され、その一端３３ａは誘電体シート６５の右辺に露出している。ストリップライン３３の他端３３ｂは、層間接続用ビアホール６０および１つ上の層に形成された引出し電極５４を介して誘電体シート６５の奥側の辺の中央に引き出されている。
【００６５】
ストリップライン３１は誘電体シート６５の中央に配置され、その一端３１ａは誘電体シート６５の奥側の辺の右側に露出している。ストリップライン３１の他端３１ｂは、層間接続用ビアホール６０および１つ上の層に形成された引出し電極５５を介して誘電体シート６５の手前側の辺の中央に引き出されている。ストリップライン３５は誘電体シート６５の中央に配置され、その一端３５ａは誘電体シート６５の左辺に露出している。ストリップライン３５の他端３５ｂは、層間接続用ビアホール６０および１つ下の層に形成された引出し電極５６を介して誘電体シート６５の奥側の辺の中央に引き出されている。
【００６６】
そして、ストリップライン３１，３３の一端同士３１ａ，３３ａおよび他端同士３１ｂ，３３ｂを対向させて、ストリップライン３１と３３を誘電体シート６５を挟んで電磁結合させ、結合器を構成している。同様に、ストリップライン３１，３５の一端同士３１ａ，３５ａおよび他端同士３１ｂ，３５ｂを対向させて、ストリップライン３１と３５を誘電体シート６５を挟んで電磁結合させ、結合器を構成している。
【００６７】
また、ストリップライン３４は誘電体シート６５の中央に配置され、その一端３４ａは誘電体シート６５の手前側の辺の右側に露出している。ストリップライン３４の他端３４ｂは、層間接続用ビアホール６０および１つ上の層に形成された引出し電極５７を介して誘電体シート６５の奥側の辺の中央に引き出されている。ストリップライン３２は誘電体シート６５の中央に配置され、その一端３２ａは開放端とされている。ストリップライン３２の他端３２ｂは、層間接続用ビアホール６０および１つ上の層に形成された引出し電極５８を介して誘電体シート６５の手前側の辺の中央に引き出されている。ストリップライン３６は誘電体シート６５の中央に配置され、その一端３６ａは誘電体シート６５の手前側の辺の左側に露出している。ストリップライン３６の他端３６ｂは、層間接続用ビアホール６０および１つ下の層に形成された引出し電極５９を介して誘電体シート６５の奥側の辺の中央に引き出されている。
【００６８】
そして、ストリップライン３２，３４の一端同士３２ａ，３４ａおよび他端同士３２ｂ，３４ｂを対向させて、ストリップライン３２と３４を誘電体シート６５を挟んで電磁結合させ、結合器を構成している。同様に、ストリップライン３２，３６の一端同士３２ａ，３６ａおよび他端同士３２ｂ，３６ｂを対向させて、ストリップライン３２と３６を誘電体シート６５を挟んで電磁結合させ、結合器を構成している。
【００６９】
各誘電体シート６５は積み重ねられて一体的に焼成され、図１２に示すような積層体７１とされる。積層体７１の手前側の側面には右側に第１平衡端子２３ｂ、左側に第２平衡端子２４ｂ、中央に中継端子２５が形成され、奥側の側面には右側に不平衡端子２２、中央にグランド端子Ｇが形成されている。積層体７１の右側面には第１平衡端子２３ａが形成され、左側面には第２平衡端子２４ａが形成されている。各端子は、いずれも側面から上下面に延在するように形成されている。
【００７０】
第１平衡端子２３ａ，２３ｂはそれぞれストリップライン３３，３４の一端３３ａ，３４ａに電気的に接続している。不平衡端子２２はストリップライン３１の一端３１ａに電気的に接続し、中継端子２５は引出し電極５５，５８に電気的に接続している。第２平衡端子２４ａ，２４ｂはそれぞれストリップライン３５，３６の一端３５ａ，３６ａに電気的に接続している。グランド端子Ｇは、グランド電極５１〜５３の一部および引出し電極５４，５６，５７，５９に電気的に接続している。
【００７１】
さらに、積層体７１の上面には抵抗Ｒ１，Ｒ２が、カーボンペーストを印刷するなどして形成されている。抵抗Ｒ１は第１平衡端子２３ａと第２平衡端子２４ａとの間を電気的に接続し、抵抗Ｒ２は第１平衡端子２３ｂと第２平衡端子２４ｂとの間を電気的に接続している。なお、抵抗Ｒ１，Ｒ２を積層体７１の底面に形成したものであってもよい。また、抵抗Ｒ１，Ｒ２は印刷抵抗の代わりに積層体の表面に配置されたチップ抵抗であってもよい。さらに、抵抗Ｒ１，Ｒ２は、平衡型分配器４１Ａを搭載するプリント基板に外付けされ、各端子と配線を介して接続されたものであってもよい。
【００７２】
以上の構成からなる積層型の平衡型分配器４１Ａは、前記第３実施例と同様の作用効果を奏する。
【００７３】
（他の実施例）
なお、本発明は前記実施例に限定されるものではなく、その要旨の範囲内で種々に変更することができる。特に、ストリップライン３１〜３６の形状は任意であり、直線状や渦巻状や蛇行状であってもよい。また、ストリップライン３１〜３６は、必ずしも１／４波長以下の長さに設定する必要はない。
【００７４】
また、前記実施例は、ストリップラインなどが形成された誘電体シートを積み重ねた後、一体的に焼成するものであるが、必ずしもこれに限定されない。シートは予め焼成されたものを用いてもよい。また、以下に説明する製法によって積層型の平衡型分配器を製作してもよい。印刷などの方法によりペースト状の誘電体材料を塗布して誘電体層を形成した後、その誘電体層の表面にペースト状の導電体材料を塗布して任意の形状のストリップラインもしくは電極を形成する。次に、ペースト状の誘電体材料を前記ストリップラインなどの上から塗布する。こうして順に重ね塗りすることによって積層構造を有する平衡型分配器が得られる。
【産業上の利用可能性】
【００７５】
以上のように、本発明は、移動体通信機器などの平衡型分配器に有用であり、特に、回路構成が簡素で、かつ、小型化を図ることができる点で優れている。
【図面の簡単な説明】
【００７６】
【図１】本発明に係る平衡型分配器の第１実施例を示す回路図。
【図２】本発明に係る平衡型分配器の第２実施例を示す回路図。
【図３】本発明に係る平衡型分配器の第３実施例を示す分解斜視図。
【図４】図３に示した平衡型分配器の外観斜視図。
【図５】本発明に係る平衡型分配器の第４実施例を示す分解斜視図。
【図６】図５に示した平衡型分配器の外観斜視図。
【図７】本発明に係る平衡型分配器の第５実施例を示す分解斜視図。
【図８】図７に示した平衡型分配器の外観斜視図。
【図９】本発明に係る平衡型分配器の別の第５実施例を示す分解斜視図。
【図１０】図９に示した平衡型分配器の外観斜視図。
【図１１】本発明に係る平衡型分配器の第６実施例を示す分解斜視図。
【図１２】図１１に示した平衡型分配器の外観斜視図。
【図１３】従来の平衡型分配器のブロック回路図。
【図１４】図１３に示した平衡型分配器の電気回路図。
【符号の説明】
【００７７】
２１，４１…平衡型分配器
２１Ａ，２１Ｂ，２１Ｃ，２１Ｄ，４１Ａ…積層型の平衡分配器
２２…不平衡端子
２３ａ，２３ｂ…第１平衡端子
２４ａ，２４ｂ…第２平衡端子
２６…抵抗接続端子
３１〜３６…ストリップライン
３１ａ〜３６ａ…ストリップラインの一端
３１ｂ〜３６ｂ…ストリップラインの他端
５１，５２，５３…グランド電極
７１…積層体
Ｇ…グランド端子
Ｒ１，Ｇ２…抵抗
【図１】
0004079173.tif 000002
【図２】
0004079173.tif 000003
【図３】
0004079173.tif 000004
【図４】
0004079173.tif 000005
【図５】
0004079173.tif 000006
【図６】
0004079173.tif 000007
【図７】
0004079173.tif 000008
【図８】
0004079173.tif 000009
【図９】
0004079173.tif 000010
【図１０】
0004079173.tif 000011
【図１１】
0004079173.tif 000012
【図１２】
0004079173.tif 000013
【図１３】
0004079173.tif 000014
【図１４】
0004079173.tif 000015